(57)【要約】【課題】台紙と写真シートとの正確な貼り合わせが可能で、かつ、作業効率がきわめて向上したアルバム写真集の製造方法を提供することを目的とする。【解決手段】写真集の略２倍の大きさを有し画像等が表示された写真シートと、写真集と等しい大きさで両面に接着層、剥離紙が順に積層されたアルバム台紙とを用いた写真集アルバムの製本方法であって、板盤の上方側に立設された２本のピンを有する治具を用い、アルバム台紙とＶ折りされた写真シートをピンに交互に挿入して、アルバム台紙とＶ折りされた写真シートを接着し合体する。【選択図】図６
2011042131.tif 000002
【特許請求の範囲】
【請求項１】
写真集の略２倍の大きさを有し画像等が表示された写真シートと、写真集と等しい大きさで保形性を有し両面に接着層、剥離紙が順に積層されたアルバム台紙とを用いた写真集の製本方法であって、板盤の上方側に立設された２本のピンを有する治具を用い、前記ピンに対応する位置に孔を空けられＶ折りされた写真シートと、前記ピンに対応する位置に孔を空けられ、かつ、その孔と反対側を前記Ｖ折りされ断裁された写真シートより横幅が若干短くなるような大きさに断裁されたアルバム台紙からなり、前記アルバム台紙とＶ折りされた写真シートを台紙の剥離紙を剥がしてから前記治具上のピンに交互に挿入して、アルバム台紙とＶ折りされた写真シートを接着し合体することにより一体化させ、該工程を複数回行うことにより写真集アルバムを作成することを特徴とする写真集アルバムの製本方法。
【請求項２】
前記写真集アルバムの製本工程における前記アルバム台紙とＶ折りされた写真シートを前記ピンに交互に挿入して、アルバム台紙とＶ折りされた写真シートを接着し合体することにより一体化させ該工程を複数回行う工程において、
該工程が、
（ａ）写真シートが、Ｖ折りされた側面を揃え、必要な枚数で重ねて前記ピンに対応する位置に孔を空けられると共に、Ｖ折りされた反対側を断裁する工程、
（ｂ）アルバム台紙が、剥離フィルムを装着された状態で重ねられ、前記ピンに対応する位置に孔を空けられと共に、その反対側を前記Ｖ折りされ断裁された写真シートよりその横幅が若干短くなるような大きさに断裁する工程、
（ｃ）写真集アルバムの表紙側（一番裏面側）の前記アルバム台紙を表紙側（一番裏面側）にフィルムを貼り付けた状態で、内側（写真集アルバムの内側方向）のみの剥離フィルム（ＯＰＰフィルム）を剥がしてピンに上向き（フィルムを貼り付けた面を裏面側下方向）に挿入し、次いで、前記Ｖ折りされた写真シートを上記ピンに挿入して下方に押し込んで、それ以前にピンに挿入されていた台紙表面と接着し合体する工程、
（ｄ）次いで、前記アルバム台紙の両面の剥離フィルム（ＯＰＰフィルム）を剥がしてピンに挿入し、それ以前にピンに挿入されていた写真シート表面と接着し合体する工程、
（ｅ） 次いで、前記Ｖ折りされた写真シートを上記ピンに挿入して下方に押し込んで、それ以前にピンに挿入されていた台紙表面と接着し合体する工程、
（ｆ）上記（ｄ）、（ｅ）の工程を必要回数繰り返し、最後に、写真集アルバムの前記と反対側の表紙側（一番表側）の前記アルバム台紙を表紙側（一番表側）にフィルムを貼り付けた状態で、内側（写真集アルバムの内側方向）のみ剥離フィルム（ＯＰＰフィルム）を剥がしてピンに上向き（フィルムを貼り付けた面を表紙側）にして挿入し、それ以前にピンに挿入されていた写真シートと接着し合体する工程、
（ｇ）上記（ａ）〜（ｆ）の工程で製造された写真集アルバム原型に表紙を付けて完成する工程、からなる写真集アルバムの主要部分（原型）を作成することを特徴とする前記請求項１記載の写真集アルバムの製本方法。
【請求項３】
前記写真集アルバムの製本工程における前記板盤が、上板及び台盤の２枚の板盤からなり、台盤には上方側に２本のピンが立設されており、該ピンは上板を貫通して上方に伸びていると共に、上板は、台盤の中央下部に設けられた空気圧シリンダーのシャフトによって上下に昇降可能になっており、かつ、この時台盤の４方に設けられたスライドブッシュ内を上板と一体になったスライドシャフトがスライドして上下する構造を有することを特徴とする前記請求項１記載の写真集アルバムの製本方法に用いられる治具。
【請求項４】
前記写真集アルバムの製本方法が、上記治具を用い、前記シリンダーに空気圧が送られ、該空気圧によりシリンダーが動作してスライドシャフトを上昇させ、写真集アルバムの主要部分（原型）をピン状に上に浮かせて取り出す工程をさらに含むことを特徴とする前記請求項２記載の写真集アルバムの製本方法。
【請求項５】
前記写真集アルバムの製本方法が、前記製本工程に加え、
（ｈ）前記できあがった写真集アルバムの主要部分（原型）は、背中部分に糊付け（無線綴り）することなく、アルバム主要部分（原型）の表面の剥離紙を剥がして飾り紙（押し付き用紙）が貼られる工程、
（ｉ）上記飾り紙と厚手の写真集アルバム表紙裏面との間を両面テープを介して接着され、写真集アルバムとして完成する工程、
をさらに含むことを特徴とする前記請求項２記載の写真集アルバムの製本方法。
【発明の詳細な説明】
【技術分野】
【０００１】
本発明は、写真集アルバムの製造方法に関する。
【背景技術】
【０００２】
従来、写真集アルバムとしてフィルムを貼ったフリー台紙を束ねて、フリー台紙のフィルムを剥がして写真を貼り付けるアルバムが周知である。
しかし、最近はデジカメの普及により写真データをネットで送り、そのまま写真集アルバムとして編纂・製本する商品が出てきている。
【０００３】
特許第４２７７０１３号公報の「写真集アルバムの製造方法」には、その写真集の略々２倍の大きさを有し画像等が表示された写真シートと、写真集と略々等しい大きさで保形性を有し両面に接着層、剥離紙が順に積層された台紙とを用いた写真集の製本方法であって、前記各々の写真シートを夫々裏面が露出するように半分に折り曲げるとともに、前記写真シートと台紙とを写真シートの折目側の向きを揃えて交互に積層し、折目側の側面と対面する側面をクリップ等で固定し、折目側の側面が扇状に開放可能な状態にし、各剥離紙の前記写真シートの折目側に位置している部分のみを台紙から剥がして、隣接する写真シートと台紙とを部分的に接着し、そして前記クリップ等を外して、前記写真シート及び台紙間の剥離紙を完全に剥がして抜き取ることにより写真シートスタックを作成し、前記写真シートスタックの折目側が背表紙側に位置するように製本する写真集の製本方法が示されており、公知である。
【０００４】
しかし、上記従来の方法は、両面に接着層、剥離紙が順に積層された台紙を用い、写真シートと台紙とを交互に積層し、側面をクリップ等で固定し、その後、各剥離紙を台紙から剥がして、隣接する写真シートと台紙とを貼り付けることにより、写真シートと台紙を接着する工程を取っている。
【０００５】
従って、側面をクリップ等で固定する点で台紙と写真シートの固定方法が不安定であって相互にずれやすく、特に、該クリップ等で固定後にシートを開いて剥離紙を剥がして台紙とアルバムシートを貼り付けるので、作業中接着層が手や台紙の他の部分に接触し、相互の正確な位置合わせが難しい。また、位置ズレを起こして不要箇所に接着してしまうと不良品になってしまうので、作業に時間と神経を使い、アルバム製本作業がきわめて困難であって手間が掛かる欠点がある。
【先行技術文献】
【特許文献】
【０００６】
【特許文献１】特許第４２７７０１３号公報
【発明の概要】
【発明が解決しようとする課題】
【０００７】
本発明は、前記従来の欠点を無くし、台紙と写真シート、及び台紙と表紙との正確な貼り合わせが可能で、かつ、作業効率がきわめて向上したアルバム写真集の製造方法を提供することを目的とする。
【課題を解決するための手段】
【０００８】
この発明の写真集アルバムの製本方法は、写真集の略２倍の大きさを有し画像等が表示された写真シートと、写真集と等しい大きさで保形性を有し両面に接着層、剥離紙が順に積層されたアルバム台紙とを用いた写真集の製本方法であって、板盤の上方側に立設された２本のピンを有する治具を用い、前記ピンに対応する位置に孔を空けられＶ折りされた写真シートと、前記ピンに対応する位置に孔を空けられ、かつ、その孔と反対側を前記Ｖ折りされ断裁された写真シートより横幅が若干短くなるような大きさに断裁されたアルバム台紙からなり、前記アルバム台紙とＶ折りされた写真シートを台紙の剥離紙を剥がしてから前記治具上のピンに交互に挿入して、アルバム台紙とＶ折りされた写真シートを接着し合体することにより一体化させ、該工程を複数回行うことにより写真集アルバムの主要部分（原型）を作成することを特徴とする。
【０００９】
さらに、前記写真集アルバムの製本工程における前記アルバム台紙とＶ折りされた写真シートを前記ピンに交互に挿入して、アルバム台紙とＶ折りされた写真シートを接着し合体することにより一体化させ該工程を複数回行う工程において、該工程が、
（ａ）写真シートが、Ｖ折りされた側面を揃え、必要な枚数で重ねて前記ピンに対応する位置に孔を空けられると共に、Ｖ折りされた反対側を断裁する工程、
（ｂ）アルバム台紙が、剥離フィルムを装着された状態で重ねられ、前記ピンに対応する位置に孔を空けられと共に、その反対側を前記Ｖ折りされ断裁された写真シートよりその横幅が若干短くなるような大きさに断裁する工程、
（ｃ）写真集アルバムの表紙側（一番裏面側）の前記アルバム台紙を表紙側（一番裏面側）にフィルムを貼り付けた状態で、内側（写真集アルバムの内側方向）のみの剥離フィルム（ＯＰＰフィルム）を剥がしてピンに上向き（フィルムを貼り付けた面を裏面側下方向）に挿入し、次いで、前記Ｖ折りされた写真シートを上記ピンに挿入して下方に押し込んで、それ以前にピンに挿入されていた台紙表面と接着し合体する工程、
（ｄ）次いで、前記アルバム台紙の両面の剥離フィルム（ＯＰＰフィルム）を剥がしてピンに挿入し、それ以前にピンに挿入されていた写真シート表面と接着し合体する工程、
（ｅ） 次いで、前記Ｖ折りされた写真シートを上記ピンに挿入して下方に押し込んで、それ以前にピンに挿入されていた台紙表面と接着し合体する工程、
（ｆ）上記（ｄ），（ｅ）の工程を必要回数繰り返し、最後に、写真集アルバムの前記と反対側の表紙側（一番表側）の前記アルバム台紙を表紙側（一番表側）にフィルムを貼り付けた状態で、内側（写真集アルバムの内側方向）のみ剥離フィルム（ＯＰＰフィルム）を剥がしてピンに上向き（フィルムを貼り付けた面を表紙側）にして挿入し、それ以前にピンに挿入されていた写真シートと接着し合体する工程、
（ｇ）上記（ａ）〜（ｆ）の工程で製造された写真集アルバム原型に表紙を付けて完成する工程、からなる写真集アルバムを作成することを特徴とする。
【００１０】
また、本発明の写真集アルバムの製本方法に用いられる治具は、前記写真集アルバムの製本工程における前記板盤が、上板及び台盤の２枚の板盤からなり、台盤には上方側に２本のピンが立設されており、該ピンは上板を貫通して上方に伸びていると共に、上板は、台盤の中央下部に設けられた空気圧シリンダーのシャフトによって上下に昇降可能になっており、かつ、この時台盤の４方に設けられたスライドブッシュ内を上板と一体になったスライドシャフトがスライドして上下する構造を有することを特徴とする。
【００１１】
またさらに、前記写真集アルバムの製本方法が、上記治具を用い、前記シリンダーに空気圧が送られ、該空気圧によりシリンダーが動作してスライドシャフトを上昇させ、写真集アルバムの主要部分（原型）をピン状に上に浮かせて取り出す工程をさらに含むことを特徴とする。
【００１２】
またさらに、前記写真集アルバムの製本方法が、前記製本工程に加え、
（ｈ）前記できあがった写真集アルバムの主要部分（原型）は、背中部分に糊付け（無線綴り）することなく、アルバム主要部分（原型）の表面の剥離紙を剥がして飾り紙（押し付き用紙）が貼られる工程、
（ｉ）上記飾り紙と厚手の写真集アルバム表紙裏面との間を両面テープを介して接着され、写真集アルバムとして完成する工程、
をさらに含むことを特徴とする。
【発明の効果】
【００１３】
本発明の構成によれば、両面に接着層、剥離紙が順に積層された台紙と写真シートとの貼り合わせ作業、及び台紙と表紙との正確な貼り合わせが容易に実現でき、仕上がりが良く、かつ、作業効率が従来方法より格段と向上して生産性もよくなる効果がある。
【図面の簡単な説明】
【００１４】
【図１】本発明の写真集アルバムに製本される写真シートの外観図である。
【図２】本発明の写真集アルバムの製本に用いられる台紙の断裁を説明する図である。
【図３】本発明の写真集アルバムの製本に用いられる台紙の構造を示す横断面図である。
【図４】本発明の写真集アルバムの製本工程において、写真シートと台紙を交互に重ねていった横断面図である。
【図５】完成した写真集アルバムの主要部分（原型）の外観図である。
【図６】本発明の写真集アルバムの製本方法に用いられる治具の全体斜視図である。
【図７】本発明の写真集アルバムの製本方法に用いられる治具において、製本工程の途中の説明図である。
【図８】本発明の写真集アルバムの製本方法に用いられる治具において、アルバム主要部分（原型）完成後ピンから抜く動作状態の説明図である。
【図９】本発明の写真集アルバムの製本方法において、アルバム主要部分（原型）と表紙との間に飾り紙（押し付き用紙）を貼る工程の説明図である。
【図１０】アルバム主要部分（原型）の背の部分に補強用の不織布テープを貼る工程の説明図である。
【図１１】アルバム主要部分（原型）を表紙に貼り付ける工程の説明図である。
【図１２】写真集アルバムの完成図である。
【発明を実施するための形態】
【実施例】
【００１５】
以下、本発明の実施の形態を図面に基づいて説明する。
この発明の写真集アルバム（図１２）は、該アルバムの略２倍の大きさを有し画像等が表示された写真シート１（図１）を用いる。すなわち、写真シート１は、写真集を開いた時、両面見開きに一杯の大きさである。例えば、写真集アルバム５０がＡ４の大きさであれば、写真シート１はＡ３の大きさであって、企画構成された写真をプリンタで印刷する。
【００１６】
図１に示すように、写真シート１は、プリントされた面を内側にして写真を中心線で筋押しした後、Ｖ折り（２つ折り）をする。
【００１７】
一方、図２に示すように、片面、または両面に接着層を有するアルバム台紙２を横幅（図１，図２のｌ）が図２に示されるように、上記Ｖ折りされ断裁された写真シート１の横幅（Ｌ）より若干短くなるように重ねて写真集アルバムの開き側を断裁３する。
【００１８】
アルバム台紙は、図３の側面図に示すように、厚紙[３]、両面接着層[２]，[４]、剥離フィルム（ＯＰＰフィルム）[１]，[５]を有する。本実施例の図３は、両面接着層を有するアルバム台紙を用いた構造を示すが、片面のみに接着層を有するアルバム台紙を貼り合わせて用いてもよい。
【００１９】
次いで、図４，図５に示すように、写真シート６の横幅（Ｌ）が台紙５の横幅（ｌ）よりやや突出した形状で、アルバム台紙５、写真シート６を交互に重ね、必要枚数重ねて揃える。このようにして、後述する製本方法により、図５に示した写真集アルバムの原型形状（主要部分）７ができあがる。このように、写真シート６の横幅（Ｌ）が台紙５の横幅（ｌ）よりやや突出した形状で、アルバム台紙５、写真シート６を交互に重ねて図１２の写真集アルバム５０が製本され、写真集アルバムの原型形状（主要部分）の背の部分（図１０の３４）がのり付けされていないので、写真集アルバム５０の完成後、任意の頁を開いた場合、頁を１８０°開くことができる効果がある。
【００２０】
図６には、本発明の写真集アルバム製造に用いる治具８の全体図を示す。図６において、治具８は、２枚の板盤１２，１３からなり、上板１２は、図８に示すように、下側の台盤１３上を空気圧シリンダー１４によって中央部のシャフト２５（図８）が持ち上げられ、スライドシャフト２０，２１，２２によって案内され、上下に昇降可能になっている。スライドシャフト２２〜２４は上板１２と一体になっていて、台盤１３の中央に設けられたスライドブッシュ１５〜１７スライドして上下する。なお、図示されないが、上記シャフト機構は板盤１２，１３の四方に設けられている。
【００２１】
図６に示されるように、台盤１３には上方側にピン１０，１１が立設されており、該ピン１０，１１は、上板１２を貫通して上方に伸びている。
なお、図示されない足踏みスイッチにより空気圧が送られて該空気圧によりシリンダー１４が動作すると、シリンダー・シャフト２５の上昇により上板１２も上昇する。該シリンダー・シャフト２５は、上板１２の底面に接しているので、該シリンダー・シャフト２５が上昇すると、上板１２も上昇する構造となっている。該シリンダー・シャフトの上昇は、上板の下面４方の隅に上板と一体に設けられたスライドシャフト２０，２１，２２が台盤１３に設けられたスライドブッシュ１７，１８，１９内に穿かれた孔内を摺動することにより上面を水平に保って上下する。
【００２２】
アルバムの製造工程は、以下のとおりである。
（ａ）写真シート１は、Ｖ折りされた側面を揃え、必要な枚数で重ねて、Ｖ折りされた反対側の事前にピン１０，１１に対応する位置に孔を空けられ、規定の横幅に断裁する。
（ｂ）アルバム台紙５も、剥離フィルムを装着された状態で重ねて、事前にピン１０，１１に対応する位置に孔を空けられ、また、その反対側を前記Ｖ折りされ断裁された写真１より若干短くなるような大きさに断裁しておく。
なお、上記ピン１０，１１に対応する位置に孔を空ける作業は、アルバム台紙及び写真シートを交互に重ね、図４の断面図のように、相互にのり付けおらず重ねた状態で行われてもよい。
（ｃ）まず、図４において、表紙側（一番外側）の台紙６を表紙側（一番外側、すなわち、図４において下側）にフィルムを貼り付けた状態で、内側（写真集アルバムの内側方向、すなわち、図４において上側）のみ剥離フィルム（ＯＰＰフィルム）を剥がしてピン７に上向きに挿入される。該台紙がこれから作る図５に示す写真集アルバム主要部分（原型）７の底部分となる。なお、該台紙６の表面は上記手順により、接着剤がむき出しとなっている。
（ｄ）次いで、前記Ｖ折りされた写真シートを上記ピンに挿入して下方に押し込んで、それ以前にピンに挿入されていた台紙と接着し合体する。
（ｅ）次いで、前記事前に用意されたアルバム台紙５の両面の剥離フィルムを剥がし、アルバム台紙５の孔を前記ピン１０，１１に挿入し、下方に押し込んで、それ以前にピン１０，１１に挿入されていた台紙と接着し、合体する。
この場合、それ以前に挿入された台紙の表面、および次に挿入する台紙の裏面の両方がその表面に接着剤が塗られているので、丁寧に貼り合わせて前記写真集アルバム主要部分（原型）７を完成後全体にプレスを掛ければ接着は強固なものとなる。
（ｆ）この作業（前記（ｄ），（ｅ）の工程）を必要枚数繰り返し、最終的に図７の状態になる。なお、図７において、最上面２３はアルバム表紙と接着する面なので、図７の状態では剥離フィルムを残した状態である。
（ｇ）図７の状態で写真集アルバムの主要部分（原型）ができたら、図６において、前記シリンダー１４に図示されない足踏みスイッチにより空気圧が送られ、図８に示すように、該空気圧によりシリンダー１４が動作してシリンダー・シャフト２５を上昇させ、写真集アルバム主要部分（原型）２３を取り出す。このとき、写真集アルバム主要部分（原型）２３は、ピンより抜けた状態なので、従来のようにピンから抜く作業がない。
【００２３】
写真集アルバム主要部分（原型）２３をピン１０，１１から直接取り出す作業は写真集アルバム主要部分原型２３を傷つけたり、取り出しが難かったりして作業効率が悪いが、本発明の図６，図８の台盤構造を採用することによってシリンダー・シャフト２５によって前記写真集アルバム主要部分（原型）をピン１０，１１から浮かせることにより、作業が非常に楽になり、生産性が向上する。
（ｈ）次いで、前記孔空け部分を断裁し、図５の写真集アルバム主要部分（原型）が完成する。
（ｉ）その後、本発明の写真集アルバムは、図１０に示すように、背中の部分３４が従来のように糊付け（無線綴り）されないので、上記写真集アルバム原型の背の部分に不織布からなる補強のテープ３１，３２，３３が必要に応じた枚数が貼られる。
（ｊ）次いで、図９に示すように、最終頁及び最初の頁の見開きに、写真集アルバム主要部分（原型）の両表面の剥離紙を剥がし、前記写真集の略２倍の大きさを有する一枚紙の押し付き用紙（化粧紙）２８を貼り合わせる。
（ｋ）最後に、図１１に示されるように、写真集アルバム主要部分（原型）４０を写真集アルバムの表紙２９に組み合わせるために、前記図９において、上記（ｊ）の工程で貼られた押し付け紙（飾り紙）と写真集アルバムの表紙２９との間を両面テープで接着する。このようにして、図１２に示される、本発明の製法による写真集アルバム５０が完成する。
【産業上の利用可能性】
【００２４】
このように、デジカメで撮った写真データをネットで送り、そのまま写真集アルバムとして編纂・製本する作業が、従来より容易に、かつ効率よくできるようになったので、該商品の提供の作業時間の短縮が図れ、かつ、作業ミスが少なくできるので、産業上の利用性は高い。
このようにして製作された写真集アルバムは１冊の本となっているので、きれいに装填することにより結婚式等の記念品としてのニーズが高い。
【符号の説明】
【００２５】
１      写真シート
２      台紙
４      台紙
５      台紙
６      台紙
７      写真集アルバムの主要部分（原型）
８      治具
９      写真シート
１０，１１      ピン
１２      上板
１３      台盤
１４      シリンダー
２０〜２２      シャフト
２３      写真集アルバムの主要部分（原型）
２５      シリンダー・シャフト
２８      飾り紙
２９      表紙
３１〜３３      不織布テープ
【図１】
2011042131.tif 000003
【図２】
2011042131.tif 000004
【図４】
2011042131.tif 000005
【図３】
2011042131.tif 000006
【図５】
2011042131.tif 000007
【図６】
2011042131.tif 000008
【図７】
2011042131.tif 000009
【図８】
2011042131.tif 000010
【図９】
2011042131.tif 000011
【図１０】
2011042131.tif 000012
【図１１】
2011042131.tif 000013
【図１２】
2011042131.tif 000014
【手続補正書】
【提出日】平成21年9月6日(2009.9.6)
【手続補正１】
【補正対象書類名】明細書
【補正対象項目名】００１９
【補正方法】変更
【補正の内容】
【００１９】
次いで、図４，図５に示すように、写真シート９の横幅（Ｌ）が台紙５の横幅（ｌ）よりやや突出した形状で、アルバム台紙５、写真シート９を交互に重ね、必要枚数重ねて揃える。このようにして、後述する製本方法により、図５に示した写真集アルバムの原型形状（主要部分）７ができあがる。このように、写真シート９の横幅（Ｌ）が台紙５の横幅（ｌ）よりやや突出した形状で、アルバム台紙５、写真シート９を交互に重ねて図１２の写真集アルバム５０が製本され、写真集アルバムの原型形状（主要部分）の背の部分（図１０の３４）がのり付けされていないので、写真集アルバム５０の完成後、任意の頁を開
いた場合、頁を１８０°開くことができる効果がある。
【手続補正２】
【補正対象書類名】明細書
【補正対象項目名】００２０
【補正方法】変更
【補正の内容】
【００２０】
図６には、本発明の写真集アルバム製造に用いる治具８の全体図を示す。図６において、治具８は、２枚の板盤１２，１３からなり、上板１２は、図８に示すように、下側の台盤１３上を空気圧シリンダー１４によって中央部のシャフト２５（図８）が持ち上げられ、スライドシャフト２０，２１，２２によって案内され、上下に昇降可能になっている。スライドシャフト２０〜２２は上板１２と一体になっていて、台盤１３の中央に設けられたスライドブッシュ１５〜１７スライドして上下する。なお、図示されないが、上記シャフト機構は板盤１２，１３の四方に設けられている。
【手続補正３】
【補正対象書類名】明細書
【補正対象項目名】００２２
【補正方法】変更
【補正の内容】
【００２２】
アルバムの製造工程は、以下のとおりである。
（ａ）写真シート１は、Ｖ折りされた側面を揃え、必要な枚数で重ねて、Ｖ折りされた反対側の事前にピン１０，１１に対応する位置に孔を空けられ、規定の横幅に断裁する。
（ｂ）アルバム台紙５も、剥離フィルムを装着された状態で重ねて、事前にピン１０，１１に対応する位置に孔を空けられ、また、その反対側を前記Ｖ折りされ断裁された写真シート１より若干短くなるような大きさに断裁しておく。
なお、上記ピン１０，１１に対応する位置に孔を空ける作業は、アルバム台紙及び写真シートを交互に重ね、図４の断面図のように、相互にのり付けおらず重ねた状態で行われてもよい。
（ｃ）まず、図４において、表紙側（一番外側）の台紙６を表紙側（一番外側、すなわち、図４において下側）にフィルムを貼り付けた状態で、内側（写真集アルバムの内側方向、すなわち、図４において上側）のみ剥離フィルム（ＯＰＰフィルム）を剥がしてピン７に上向きに挿入される。該台紙がこれから作る図５に示す写真集アルバム主要部分（原型）７の底部分となる。なお、該台紙６の表面は上記手順により、接着剤がむき出しとなっている。
（ｄ）次いで、前記Ｖ折りされた写真シートを上記ピンに挿入して下方に押し込んで、それ以前にピンに挿入されていた台紙と接着し合体する。
（ｅ）次いで、前記事前に用意されたアルバム台紙５の両面の剥離フィルムを剥がし、アルバム台紙５の孔を前記ピン１０，１１に挿入し、下方に押し込んで、それ以前にピン１０，１１に挿入されていた写真シートと接着し、合体する。
この場合、それ以前に挿入された台紙の表面、および次に挿入する台紙の裏面の両方がその表面に接着剤が塗られているので、丁寧に貼り合わせて前記写真集アルバム主要部分（原型）７を完成後全体にプレスを掛ければ接着は強固なものとなる。
（ｆ）この作業（前記（ｄ），（ｅ）の工程）を必要枚数繰り返し、最終的に図７の状態になる。なお、図７において、最上面２３はアルバム表紙と接着する面なので、図７の状態では剥離フィルムを残した状態である。
（ｇ）図７の状態で写真集アルバムの主要部分（原型）ができたら、図６において、前記シリンダー１４に図示されない足踏みスイッチにより空気圧が送られ、図８に示すように、該空気圧によりシリンダー１４が動作してシリンダー・シャフト２５を上昇させ、写真集アルバム主要部分（原型）２３を取り出す。このとき、写真集アルバム主要部分（原型）２３は、ピンより抜けた状態なので、従来のようにピンから抜く作業がない。
【手続補正４】
【補正対象書類名】図面
【補正対象項目名】図１
【補正方法】変更
【補正の内容】
【図１】
2011042131.tif 000015
【手続補正５】
【補正対象書類名】図面
【補正対象項目名】図２
【補正方法】変更
【補正の内容】
【図２】
2011042131.tif 000016
【手続補正６】
【補正対象書類名】図面
【補正対象項目名】図３
【補正方法】変更
【補正の内容】
【図３】
2011042131.tif 000017
【手続補正７】
【補正対象書類名】図面
【補正対象項目名】図４
【補正方法】変更
【補正の内容】
【図４】
2011042131.tif 000018
【手続補正８】
【補正対象書類名】図面
【補正対象項目名】図５
【補正方法】変更
【補正の内容】
【図５】
2011042131.tif 000019
【手続補正９】
【補正対象書類名】図面
【補正対象項目名】図６
【補正方法】変更
【補正の内容】
【図６】
2011042131.tif 000020
【手続補正１０】
【補正対象書類名】図面
【補正対象項目名】図７
【補正方法】変更
【補正の内容】
【図７】
2011042131.tif 000021
【手続補正１１】
【補正対象書類名】図面
【補正対象項目名】図８
【補正方法】変更
【補正の内容】
【図８】
2011042131.tif 000022
【手続補正１２】
【補正対象書類名】図面
【補正対象項目名】図９
【補正方法】変更
【補正の内容】
【図９】
2011042131.tif 000023
【手続補正１３】
【補正対象書類名】図面
【補正対象項目名】図１０
【補正方法】変更
【補正の内容】
【図１０】
2011042131.tif 000024